(57)【特許請求の範囲】
【請求項１】
電子写真方式の画像形成装置であって、記録材上に転写されたトナー像を加熱加圧して記録材上に定着させる定着器に設けられた加熱手段と、記録材を格納する複数の給紙段と、この各給紙段の記録材の種類を設定する記録材種類設定手段と、画像形成動作を制御する動作制御手段と、を備え、
前記動作制御手段は、画像形成が行われる記録材が前記記録材種類設定手段により定着性の悪い記録材と設定されている場合、通常時よりも記録材間の間隔を開けて、記録材が前記定着器を通過する時間間隔を広げるように動作制御を行い、これに続いて、前記記録材種類設定手段により定着性の問題の無い記録材と設定された記録材に対して画像形成が行われた場合、前記定着性の問題の無い記録材と設定された記録材に対して連続して画像形成が行われた枚数が所定枚数に達したら通常の記録材間の間隔に復帰させるように動作制御を行うことを特徴とする画像形成装置。
【請求項２】
前記加熱手段の温度を検出する温度検出手段を備え、前記動作制御手段は、画像形成が行われる記録材が前記記録材種類設定手段により定着性の悪い記録材と設定されている場合、先行する定着性に問題の無い記録材がある場合には、該定着性に問題の無い記録材が前記定着器を通過した後に、前記温度検出手段により検出された前記加熱手段の温度が定着性の悪い記録材の定着性を満足する目標温度となるように制御することを特徴とする請求項１に記載の画像形成装置。
【発明の詳細な説明】
【０００１】
【発明の属する技術分野】
本発明は、記録材上に転写されたトナー像を加熱加圧して記録材上に定着させる定着器を備えた画像形成装置及びその制御方法に関するものであり、特に定着性の悪い記録材の定着性を満足するための制御と、その復帰制御を行う画像形成装置に関するものである。
【０００２】
【従来の技術】
従来の記録紙に転写されたトナー像を加熱加圧して記録材上に定着させる定着装置を有する画像形成装置において、例えば厚紙といった定着性の悪い記録材（以後、記録材Ａ）の定着性を満足させるために、記録材Ａへの画像形成動作が要求されたら、１枚目の記録材Ａの定着性を満足するために、先行する定着性に問題の無い記録材Ｂがある場合には、記録材Ｂが加熱手段を通過するのを待った後、定着温度が記録材Ａの定着性を満足する目標定着温調温度に達するまで画像形成動作を待機して、２枚目以降の記録材Ａの定着性を満足させるために画像形成装置本来の画像形成速度より遅い速度に画像形成速度を落とし、記録材の定着装置を通過する通過間隔をあけることにより記録材通過による定着温度ロス分の復帰を図ることで定着性の向上を図る制御が知られている。
【０００３】
そして、従来の上述する定着性向上制御を備える画像形成装置は、画像形成動作が開始されてから停止するまでに複数のジョブを継続処理に対応していなかったため、一度定着性向上制御が起動されたら画像形成装置が停止するまで復帰処理を行わなかった。
【０００４】
【発明が解決しようとする課題】
ところで、近年主流となってきているコピー、プリンター、ＦＡＸ機能を備えた複合機能を備える画像形成装置においては、画像形成を開始してから停止するまでの間に複数の異なるジョブを継続して処理することが可能となっている。そして、複数のジョブの要求が発生した場合、例えば、２つのジョブの要求が成された場合に、ジョブ１は定着性の悪い記録材を使用、ジョブ２は定着性に問題の無い記録材（以後、記録材Ｂ）を使用といったように、画像形成装置の起動してから停止するまでに定着性の異なる記録材への画像形成動作が行われるといったことが発生する。
【０００５】
しかしながら、上述した従来の定着性向上制御を備える画像形成装置は、画像形成動作が開始されてから停止するまでに複数のジョブを継続処理に対応していなかったため、一度定着性向上制御が起動されたら画像形成装置が停止するまで復帰処理を行わなかった。
【０００６】
前述するような複数ジョブを継続して処理が可能であり、記録材Ａへの画像形成動作時には定着温度待ち処理及び画像形成速度をダウンさせることで定着性を向上させる定着性向上制御を備える画像形成装置では、記録材Ａを用いたジョブを行うために定着性向上制御が既に実施されている状態で記録材Ｂを用いたジョブが行われる場合に、生産性の低下を防ぐには定着性向上制御でダウンした画像形成速度を復帰させる復帰制御が必要になってくる。
【０００７】
しかしながら、上述した従来の定着性向上制御を備える画像形成装置は、画像形成動作が開始されてから停止するまでに複数のジョブを継続処理に対応していなかったため、一度定着性向上制御が起動されたら画像形成装置が停止するまで復帰処理を行わなかったため、以下のような問題点があった。
【０００８】
仮に復帰制御を持たなければ、記録材Ａを用いたジョブが少数枚で、次のジョブが記録材Ｂを用いたジョブが大量部数である場合には、画像形成装置の停止がなされるまで定着性に問題の無い記録材Ｂへの出力においても生産性（スループット）をも落としてしまうといった問題点が発生する。
【０００９】
また、複数ジョブを継続して処理が可能な画像形成装置では、記録材Ｂのジョブが先行して行われた後、続いて記録材Ａのジョブが実施されるような場合が発生する。このような場合、記録材Ａの画像形成動作を開始する前に定着性を満足する目標定着温度に到達するまで画像形成動作を待機させるが、先行する記録材Ｂが加熱手段を通過する前に定着温度を検知した場合には、記録材Ａが加熱手段を通過するときには先行する記録材Ｂにより加熱手段の熱が奪われているため、記録材Ａの定着性を満足することができなくなるといった問題が発生する。
【００１０】
また、複合機能を備える画像形成装置においては、コピー、プリント、ＦＡＸの各ジョブに優先度を設定する機能を備えているものが一般的であり、画像形成装置のジョブ管理を行う制御部によって、優先度の高いジョブの要求がされた場合には、ジョブの途中であっても優先度の高いジョブを優先的に行うような構成になっている。
【００１１】
そして、記録材Ａへの画像形成動作時には定着温度待ち処理及び画像形成速度をダウンさせることで定着性を向上させる定着性向上制御を備え、複数のジョブ処理が可能である画像形成装置において、記録材Ａを用いたジョブにより定着性向上制御が行われている途中で、ジョブの優先度により記録材Ｂを用いた通常動作で画像形成可能なジョブが行われることが発生するため、生産性を考慮すると画像形成速度を復帰させるため定着性向上制御を終了する復帰制御が必要になってくる。
【００１２】
仮に復帰制御を持たせなければ、記録材Ａへの定着性を優先させるために、一度、定着向上制御により画像形成速度を下げることを行うと、画像形成装置が停止するまで速度復帰がなされないため、仮に記録材Ａへの画像形成動作が少数枚であっても画像形成装置の停止がなされるまで定着性に問題の無い記録材Ｂ以外の記録材の生産性をも落としてしまうといった問題点がある。
【００１３】
本発明は、上記のような問題点を解決するためになされたものであり、複数の異なる画像形成ジョブを継続して実行する場合あるいは実行中の画像形成ジョブを所定の優先順位に応じてこの画像形成ジョブを一時中断して他の画像形成ジョブを実行する場合でも、各種記録材への定着性を向上させるとともに、生産性（スループット）の低下を防いだ画像形成装置を提供することを目的とする。
【００１４】
【課題を解決するための手段】
本発明の画像形成装置及びその制御方法は次のように構成したものである。
【００１５】
（１）電子写真方式の画像形成装置であって、記録材上に転写されたトナー像を加熱加圧して記録材上に定着させる定着器に設けられた加熱手段と、記録材を格納する複数の給紙段と、この各給紙段の記録材の種類を設定する記録材種類設定手段と、画像形成動作を制御する動作制御手段と、を備え、前記動作制御手段は、画像形成が行われる記録材が前記記録材種類設定手段により定着性の悪い記録材と設定されている場合、通常時よりも記録材間の間隔を開けて、記録材が前記定着器を通過する時間間隔を広げるように動作制御を行い、これに続いて、前記記録材種類設定手段により定着性の問題の無い記録材と設定された記録材に対して画像形成が行われた場合、前記定着性の問題の無い記録材と設定された記録材に対して連続して画像形成が行われた枚数が所定枚数に達したら通常の記録材間の間隔に復帰させるように動作制御を行うことを特徴とする画像形成装置。
【００２０】
【発明の実施の形態】
図１は一実施例の画像形成装置の概略構成を示す縦断面図であり、読み取り給紙装置１０１、画像形成装置本体１０２、シート後処理装置１０３から構成されている。読み取り給紙装置１０１は、セットされた原稿を原稿読み取り位置へ給送し、その後、排紙位置まで搬送する自動原稿給送部５１と、前記読み取り位置へ給送された原稿を読み取り走査する光学系５２を有している。
【００２１】
画像形成装置本体１０２は、異なるサイズの記録材Ｓを積載した複数の記録材格納部５３，５４、記録材を給紙する記録材給紙部５５，５６、記録材Ｓ３を積載した手差し給紙部１、感光体上にトナー像を形成し、そのトナー画像を記録材に転写する画像形成部５７、前記画像形成部５７へシートを搬送するシート搬送路５８、前記光学系５２により読み取られた画像情報に基づいてレーザー光を走査して画像形成部５７により感光体上に潜像を形成するレーザースキャナー５９、記録紙上のトナー像を軟化溶融して定着させる定着部（定着器）６０、この定着部６０は定着温度を目標温度に制御するために、加熱手段としてヒータ（図示せず）を備え、ヒータには温度を検出する温度検出手段としてサーミスタ（図示せず）が設けられている。温調制御はサーミスタにより検出された温度により加熱手段であるヒータをＯＮ／ＯＦＦさせることで設定された目標温調温度になるように制御を行っている。
【００２２】
定着後の記録材をシート後処理装置１０３に搬送する搬送ベルト６１、さらに画像形成装置１０２及びシート後処理装置１０３の動作設定や設定内容を確認するための操作部７０を有している。
【００２３】
また操作部７０は、図２に示すように、設定内容を確認するための表示部７３、表示部上に重ねて配置され画像形成動作の詳細設定やシート後処理装置の動作設定、記録材格納部５３、５４の格納される記録材（第１の記録材としての定着性の悪い記録材Ａ、第２の記録材としての定着性の問題の無い記録材Ｂ）といった記録材の種類設定（記録材種類設定手段）、定着性向上制御の復帰枚数を設定（復帰枚数設定手段）を行うためのタッチパネルキー７４、画像形成部数等の数値を設定するためのテンキー７５、画像形成動作を停止するためのストップキー７６、初期設定に戻すためのリセットキー７７、画像形成動作を開始するためのスタートキー７８を有している。
【００２４】
シート後処理装置１０３は、シートを分けて積載収納するビンユニット８０、画像形成装置１０２よりシート後処理装置１０３に排出されたシートを搬送する用紙搬送ユニット８１、前記用紙搬送ユニット内を搬送中のシートに穿孔するパンチユニット８２、ビンユニットに積載されたシート束を綴じるステイプルユニット８３を有している。
【００２５】
すなわち、読み取り給紙装置１０１にシートをセットし、タッチパネルキー７４やテンキー７５でユーザーが所望の設定を行った後、スタートキー７８を押下することで、画像形成動作が開始されるのである。
【００２６】
まず、読み取り給紙装置１０１でシートの読み取りを行うと同時に、画像形成装置本体１０２では設定された記録材格納部５３，５４あるいは手差し給紙部１から記録材の給紙を開始して、シート搬送路を介して画像形成部へ搬送する。
【００２７】
また、シート後処理装置１０３へ操作部上で設定されたシート後処理動作に必要な設定等のデータはメモリー等の公知の記憶手段によって記憶され、動作開始信号を公知の通信手段によりシート後処理装置１０３へ送信することで、シート後処理装置１０３の動作を開始させている。
【００２８】
次に、画像形形成部５７で、読み取った画像情報に基づいて形成されたトナー画像を給紙したシートに転写して、定着部を通過させてシート上に固定する。そして、最後にシート後処理装置１０３により、シートの仕分け、パンチ処理、ステイプル処理等の後処理を行って最終出力シートが得られるのである。
【００２９】
図３は一実施例の画像形成装置の要部構成を示すブロック図であり、図３を用いて本発明の特徴とする定着性向上制御と、その復帰処理を説明する。
本実施例の画像形成装置は、操作部３００（図２の操作部７０）と画像形成装置のジョブ管理、画像形成装置の起動といったトータル的な制御を行うコントローラ部３２０と、コントローラ部３２０からの画像形成要求に応じて各負荷を動作して実際に画像の出力を行うエンジン部３１０の大きく３つの構成で成り立っている。
【００３０】
操作部３００からユーザーの所望する出力形態の指示、あるいはエンジン部３１０に備えられた複数の給紙段の紙種を設定する記録材種類設定手段３０１により各給紙段にどのような種類の紙種（記録材Ａ・記録材Ｂ）が格納されているか、復帰枚数設定手段３０２により定着性向上制御の復帰枚数をどのようにするかといった情報がコントローラ部３２０に伝えられる。そして、これらの情報はコントローラ部３２０を介してエンジン部３１０に伝えられる。
【００３１】
エンジン部３１０は、先に図１の説明で前述したように加熱手段３１１、温度検出手段３１２から構成される定着部３１３（図１の定着器６０）、画像形成部３１４（図１の画像形成部５７）、記録材給紙部３１５（図１の記録材給紙部５５、５６）などから構成され、これらの負荷の動作制御を行うエンジン制御部３１６とから構成される。エンジン制御部３１６では、例えば定着部３１３を制御して目標温度になるように制御する温調制御手段３１７、本発明の特徴である後述する、定着性向上制御（１）を行う定着性向上制御部（１）３１８、定着性向上制御（２）を行う定着性向上制御部（２）３１９を備えている。上記エンジン制御部３１６及びコントローラ部３２０は画像形成装置の動作制御を行う動作制御手段を構成している。
【００３２】
また、エンジン部３１０から各給紙段の残量情報、ジャム、エラーといった異常情報といったエンジン部３１０の状態を示す詳細情報がコントローラ部３２０に伝えられる。コントローラ部３２０には、操作部３００より指定されたジョブを管理するジョブ制御部３２１が備えられ、操作部３００、エンジン部３１０の情報から画像形成動作が可能かどうかを判断し、可能であればジョブ制御部３２１にて管理される複数のジョブの出力形態（両面ｏｒ片面出力、使用する記録材種類）からエンジン部３２０へ使用する給紙段、記録材種類、定着性向上制御の復帰枚数といった情報を伝え、画像形成動作の開始をエンジン部３１０へ指示する。
【００３３】
実際の定着性向上制御（１），（２）の動作を説明すると、例えばエンジン部３１０からの情報により記録材給紙部３１５の情報が、給紙段１：Ａ４サイズ・記録材Ａ、給紙段２：Ａ４サイズ・記録材Ｂであり、ジョブ制御部３２１に管理される画像形成ジョブであるＪＯＢ（１）３２２〜（３）３２４（以下、ＪＯＢ（１），（２），（３）という）が下記のようなジョブである場合、
ＪＯＢ（１）：等倍、片面出力、置数１００、Ａ４原稿１枚、記録材Ｂ
ＪＯＢ（２）：等倍、片面出力、置数１０、Ａ４原稿２枚、記録材Ａ
ＪＯＢ（３）：等倍、片面出力、置数１００、Ａ４原稿１枚、記録材Ｂ
まず、始めにＪＯＢ（１）が開始するためにコントローラ部３２０からエンジン部３１０へ画像形成動作の開始要求がされると、エンジン部３１０はエンジン制御部３１１によりモータといった各負荷の動作、定着装置の温調温度を画像形成動作中に用いられる目標温調温度Ｂへと切り替えて画像形成動作の開始準備を行う。
【００３４】
コントローラ部３２０はエンジン部３１０が画像形成動作の準備が終了したことを認識するとＪＯＢ（１）の画像形成動作として給紙段２から記録材Ｂを用いて１００枚出力を行うよう指示をだしエンジン部３１０は指示された通りに出力動作を行う。
【００３５】
コントローラ部３２０は、ＪＯＢ（１）の出力動作が終了するとＪＯＢ（２）の画像出力動作として給紙段１から記録材Ａを用いて２０枚出力するように指示を出す。
【００３６】
この時、エンジン部３１０は記録材Ａを用いたジョブであるので記録材Ａの定着性を満足するために定着性向上制御（１）を起動する。定着性向上制御（１）が起動されたのでＪＯＢ（１）で出力される記録材Ｂが定着器３１３を抜けるのを待ち温度検出手段３１２により温度を検出する。検出される温度は記録材Ｂのジョブが行われたことで定着温度が下がっている可能性があるので、記録材Ａの定着性を満足する目標温調温度に到達するまで画像形成動作を待機する。
【００３７】
温度検出手段３１２により検出された温度が目標温調温度に到達したら記録材Ａへの画像形成動作を開始して定着性向上制御（２）を起動する。２枚目以降は定着性向上制御（２）により記録材間の間隔を開けて画像形成速度を通常時の６０枚/分から５０枚/分に下げて出力動作を行う。
【００３８】
コントローラ部３２０は、ＪＯＢ（２）の出力動作が終了するとＪＯＢ（３）の画像出力動作として給紙段２から記録材Ｂを用いて１００枚出力するように指示を出す。
【００３９】
エンジン部３１０は使用する記録材が記録材Ａから記録材Ｂへと切り替わったので、定着性向上制御の復帰を判断するために、記録材Ｂへの画像形成枚数をカウントして復帰枚数設定手段３０２により設定された復帰枚数であるＸ枚カウントしたら、定着性向上制御を終了して画像形成速度を５０枚／分→６０枚／分と本来の速度に復帰させて残りの出力を行う。
【００４０】
コントローラ部３２０では、ジョブ制御部３２１に管理されているジョブがすべて終了したので、エンジン部３１０へ画像形成動作の停止要求を出し、エンジン部３１０を各負荷の停止を行い、再び画像形成動作待機状態になったらコントローラ部３２０へ情報を返し、コントローラ部３２０は操作部３００へメッセージ等の画面更新を要求して待機状態に移行する。
【００４１】
図４は本発明における定着性向上制御動作と、その復帰処理動作を示すフローチャートである。なお、本動作は不図示のＲＯＭに格納されたプログラムに基づいて不図示のＣＰＵの指示により実行される。
【００４２】
ステップＳ４０１では、スタートキー６８が押され画像形成動作要求があるまでウェイトし、要求があればステップＳ４０２へ進む。
【００４３】
ステップＳ４０２では、画像形成動作の準備として各負荷の駆動を開始する。
【００４４】
ステップＳ４０３では、画像形成時に用いられる記録材が何かを判断する。定着性の悪い記録材Ａへの画像形成要求であればステップＳ４０４へ進み、定着性に問題の無い記録材ＢであればステップＳ４１３へ進む。
【００４５】
ステップＳ４０４では、記録材Ｂの通紙枚数をカウントするカウンタをクリアする。
【００４６】
ステップＳ４０５では、定着性向上制御のＯＮ／ＯＦＦを判定するフラグ（フラグＯＮ＝制御ＯＮ）をチェックし、フラグがＯＮしていなければ定着性向上制御を機能させるために定着性向上制御（１）を行うためにステップＳ４０６へ進む。既にフラグがＯＮして制御が機能していれば定着性向上制御（２）を行うためにステップＳ４１１へ進む。
【００４７】
ステップＳ４０６では、定着性向上制御が開始されるのでフラグをＯＮする。
【００４８】
ステップＳ４０７では、定着性向上制御が開始されるときに行われる定着性向上制御（１）を行う。
【００４９】
＜定着性向上制御（１）＞
ステップＳ４０８では定着向上制御が開始される前に先行する記録材Ｂがあるかどうかをチェックして、既に給紙されている場合には、ステップＳ４０９に進み先行する記録材Ｂが定着器を抜けるまでウェイトする。定着器を抜けたらステップＳ４１０に進む。
【００５０】
ステップＳ４１０では、定着温度が記録材Ａの定着性を満足する目標温調温度に達するまでウェイトし、目標温調温度に達したらステップＳ４１７へ進み画像形成を行う。
【００５１】
＜定着性向上制御（２）＞
ステップＳ４１１の定着性向上制御（２）では既に定着向上制御（１）が終了しているので、ステップＳ４１２に進み画像形成速度をダウンさせてステップＳ４１７へ進み画像形成を行う。
【００５２】
具体的には紙間をあけて本来は６０枚/分の出力が可能な場合、５０枚/分と１分間に出力可能な枚数を下げることで、定着器を記録材が通過することで奪われる熱の復帰を確保し定着性を満足させる。
【００５３】
＜復帰制御＞
ステップＳ４１３では、記録材Ａへの画像形成が行われることで実施される定着性向上制御がＯＮしているかをチェックするために、前述した定着性向上制御のＯＮ／ＯＦＦを判定するフラグをみて、ＯＦＦであればステップＳ４１７へ進み本来の画像形成速度で画像形成を行う。ＯＮであれば、ステップＳ４１４へ進む。
【００５４】
ステップＳ４１４では、記録材Ｂが連続で通紙された枚数カウンタをカウントアップする。
【００５５】
ステップＳ４１５では、カウンタが所定枚数Ｘに達していたらステップＳ４１６へ進み、定着性向上制御から復帰し、画像形成速度を本来の６０枚/分に復帰させ、定着性向上制御のフラグをクリアして、ステップＳ４１７へ進み画像形成を行う。
【００５６】
カウントが復帰枚数Ｘに達していなければ定着向上制御から復帰せず、画像形成速度をダウンさせた５０枚/分を維持し、ステップＳ４１７へ進み画像形成を行う。
【００５７】
ステップＳ４１８では、要求されている全ての画像形成動作を終了したかチェックして、終了していなければステップＳ４０３へ戻り、終了するまでステップＳ４０３からステップＳ４１８を繰り返す。終了していたらステップＳ４１９へ進む。
【００５８】
ステップＳ４１９では、定着性向上制御のフラグをクリアし、ステップＳ４２０で画像形成動作を終了し、画像形成装置を停止させる。
【００５９】
このように実施例では、複数ジョブを継続して行うことが可能な画像形成装置において、記録材上に転写されたトナー像を加熱加圧して記録材上に定着させる定着装置内に設けられた加熱手段と、前記加熱手段の温度を検出する手段として、少なくとも一つ以上設けられた温度検出手段と、前記温度検出手段により検出された温度データをもとに前記加熱体への電力供給を制御することで目標の温調温度に制御する温調制御手段と、複数の記録材を格納する給紙段と、各給紙段の記録材の種類を設定する記録材種類設定手段を備え、画像形成を開始してから停止するまでの間に複数の異なるジョブを継続して処理することが可能な画像形成装置において、画像形成に用いられる給紙段の記録材が、前記記録材種類設定手段により定着性の悪い記録材Ａと設定されていた場合に、前記記録材Ａの１枚目の定着性を満足するために、先行する定着性に問題の無い記録材Ｂがある場合には、記録材Ｂが加熱手段を通過するのを待った後、前記温度検知手段により前記加熱手段の温度を検知し、検知された温度が前記記録材Ａの定着性を満足する目標温調温度に到達するまで画像形成動作開始を待機する定着性向上制御（１）と、２枚目以降の画像形成動作では記録材Ａの前記加熱手段を通過する間隔を開け画像形成速度を下げることにより前記加熱手段の温度復帰時間を確保する定着性向上制御（２）とで構成される定着性向上制御と、前記定着性向上制御の復帰処理として、定着性に問題の無い記録材Ｂへの画像形成動作が連続で復帰枚数Ｘ行われたら前記定着性向上制御を終了し、画像形成装置本来の画像形成速度へ復帰させる復帰制御を行うようにした。
【００６０】
これにより、複数ジョブの継続動作が可能な画像形成装置において、定着性の悪い記録材Ａへの画像形成動作を含む複数ジョブが行われる場合に、記録材Ａを用いたジョブの後に記録材Ｂのジョブが行わる場合においても、定着性向上制御の復帰制御を行うことで、記録材Ａの定着性を満足するとともに記録材Ｂへの生産性の低下も抑えることが可能となる。
【００６１】
また、記録材Ｂを用いたジョブの後に記録材Ａを用いたジョブが行われる場合でも、定着性向上制御の起動条件として、先行する記録材Ｂが定着器を通過してから温度検知を行うようにすることで、記録材Ａの定着性を確実に満足させることができる。
【００６２】
更に、定着性向上制御の復帰枚数Ｘを任意に設定できる復帰枚数設定手段を備えることで、例えば記録材Ａを使用したジョブをメインに行うユーザーの場合は、復帰枚数を大きめに設定することで復帰処理を頻繁に行われないようにすることで、定着温度の低下による定着温度復帰待ちと、先行する記録材Ｂの定着装置の通過待ちが頻繁に行われることが無くなるため、記録材Ａの生産性の低下を抑えることができる（記録材Ａの生産性優先）。
【００６３】
また、記録材Ｂを用いたジョブをメインに行うユーザーの場合には、復帰枚数を小さめに設定することで復帰処理をすぐに行うようにし、定着性向上制御による画像形成速度低下状態を直ぐに復帰させることで記録材Ｂの生産性の低下を抑えることができる（記録材Ｂの生産性優先）。
【００６４】
このように定着性向上制御の復帰を判断する復帰枚数を可変にすることでユーザーのニーズに合わせた定着性の向上制御と復帰処理を提供することができる。
【００６５】
なお、本実施例では、複数ジョブの継続動作が可能な画像形成装置によって説明したが、本発明はこれに限らず、実行中のジョブ（画像形成ジョブ）を所定の優先順位に応じてこのジョブを一時中断して他のジョブを実行可能な電子写真方式の画像形成装置において、優先順位に従って実行中のジョブを中断して他のジョブを実行するときあるいは中断しているジョブの再開するときにこれらのジョブで用いられる給紙段の記録材が記録材種類設定手段により定着性の悪い記録材Ａと設定されている場合に、先行するジョブにより定着性の問題無い第２の記録材Ｂによる画像形成動作が行われている場合には、前記実行中のジョブを中断して前記他のジョブを実行するときあるいは前記中断しているジョブの再開するときに必要な記録材Ｂが全て前記定着器を通過した後に温度検出手段により加熱手段の温度が目標温度に到達したことが検出されてから前記他のジョブあるいは前記再開するジョブによる画像形成動作を開始させ、これらのジョブによる画像形成枚数が複数枚数ある場合には、通常時よりも画像形成速度を下げて各枚の記録材Ａが定着器を通過する時間間隔を広げるように動作制御を行うようにすることにより、実行中のジョブを所定の優先順位に応じてこのジョブを一時中断して他のジョブを実行可能な複合ジョブが行われても、上記と同様の効果がある。
【００６６】
【発明の効果】
以上説明したように、本発明によれば、定着性の悪い記録材においては定着器を記録材が通過することで奪われる熱の復帰を確保し定着性を満足させることができ、かつ定着性の問題の無い記録材への生産性の低下も抑えることができる。
【図面の簡単な説明】
【図１】  一実施例の画像形成装置の概略構成を示す縦断面図
【図２】  図１の操作部の構成を示す上面図
【図３】  一実施例の画像形成装置の要部構成を示すブロック図
【図４】  一実施例の定着性向上制御動作及びその復帰処理動作を示すフローチャート
【符号の説明】
６０  定着部
１０１  読み取り給紙装置
１０２  画像形成装置本体
１０３  シート後処理装置
３１０  エンジン部
３１１  加熱手段
３１２  温度検出手段
３１３  定着部
３１４  画像形成部
３１５  記録材給紙部
３１６  エンジン制御部（動作制御手段）
３１７  温調制御手段
３１８  第１定着性向上制御部
３１９  第２定着性向上制御部
３２０  コントローラ部（動作制御手段）
３２１  ジョブ制御部
【図１】
0004532680.tif 000002
【図２】
0004532680.tif 000003
【図３】
0004532680.tif 000004
【図４】
0004532680.tif 000005